(57)【要約】【課題】市販の記録装置とほぼ同じ構成の記録装置によって記録することができ、再生時においては再生専用ＤＶＤと認識される光記録媒体の提供。【解決手段】（１）記録用案内溝を有する基板と該基板上に設けられた記録層を備え、レーザ光の照射により記録層に光学的性質の変化を生じさせて情報の記録を行う光記録媒体において、記録用案内溝が蛇行構造を有し、該蛇行構造に、ＡＤＩＰ情報が位相変調法によりウォブルの振動の極性を反転させた状態で記録されている光記録媒体。（２）記録用案内溝を有する基板と該基板上に設けられた記録層を備え、レーザ光の照射により記録層に光学的性質の変化を生じさせて情報の記録を行う光記録媒体において、記録用案内溝が蛇行構造を有し、かつ、該蛇行構造が単周期単位相であるか、又は、該蛇行構造の振幅が１０ｎｍ以下であることを特徴とする光記録媒体。【選択図】図４
2009170058.tif 000002
【特許請求の範囲】
【請求項１】
レーザ光を誘導する記録用案内溝を有する基板と該基板上に設けられた記録層を備え、レーザ光の照射により記録層に光学的性質の変化を生じさせて情報の記録を行う光記録媒体において、記録用案内溝が蛇行構造を有し、該蛇行構造に、ＡＤＩＰ情報が位相変調法によりウォブルの振動の極性を反転させた状態で記録されていることを特徴とする光記録媒体。
【請求項２】
レーザ光を誘導する記録用案内溝を有する基板と該基板上に設けられた記録層を備え、レーザ光の照射により記録層に光学的性質の変化を生じさせて情報の記録を行う光記録媒体において、記録用案内溝が蛇行構造を有し、かつ、該蛇行構造が単周期単位相であることを特徴とする光記録媒体。
【請求項３】
レーザ光を誘導する記録用案内溝を有する基板と該基板上に設けられた記録層を備え、レーザ光の照射により記録層に光学的性質の変化を生じさせて情報の記録を行う光記録媒体において、記録用案内溝が蛇行構造を有し、かつ、該蛇行構造の振幅が１０ｎｍ以下であることを特徴とする光記録媒体。
【請求項４】
蛇行構造がデータ記録領域より内周部のみに形成されていることを特徴とする請求項２又は３記載の光記録媒体。
【請求項５】
情報記録後のプッシュプル信号〔＝プッシュプル（差信号）／反射率（和信号）〕が、０．３以下であることを特徴とする請求項１〜４の何れかに記載の光記録媒体。
【請求項６】
プッシュプル信号が、記録前に比べて記録後に減少する請求項１〜４の何れかに記載の光記録媒体。
【請求項７】
波長６４０〜６８０ｎｍの記録光により記録マーク部が形成される色素記録層を有し、該記録マーク部の記録光に対する反射率が、記録前に比べて記録後に増加することを特徴とする請求項１〜４の何れかに記載の光記録媒体。
【発明の詳細な説明】
【技術分野】
【０００１】
本発明は、ＤＶＤ波長で記録が行われる光記録媒体に関する。
【背景技術】
【０００２】
再生専用（読み出し専用）ＤＶＤ（デジタルバーサタイルディスク）などの光記録媒体に加えて、記録可能なＤＶＤ（ＤＶＤ＋ＲＷ、ＤＶＤ＋Ｒ、ＤＶＤ−Ｒ、ＤＶＤ−ＲＷ、ＤＶＤ−ＲＡＭなど）が実用化されている。これらは、従来のＣＤ−Ｒ、ＣＤ−ＲＷ（記録型コンパクトディスク）技術の延長上に位置し、再生専用ＤＶＤとの再生互換性を確保するため、記録密度（トラックピッチ、信号マーク長）と基板の厚さがＣＤ条件からＤＶＤ条件に合うように設計されている。例えば、ＤＶＤ＋Ｒでは、ＣＤ−Ｒと同様に、案内溝及び／又はピットを形成した基板上に色素材料をスピンコーティングして光記録層（以下「色素記録層」と称することがある。）を設け、その背後に反射層を設けた情報記録用基板を、貼合せ材を介して同形状の基板と貼り合せた構造が採用されている。
ところで、ＣＤ−Ｒ（特許文献１）の場合、ＣＤの規格を満足する高反射率（６５％）を有することが特徴の一つであるが、ＤＶＤ＋Ｒの場合は、上記構造で高反射率を得るためには、光記録層が記録再生光波長（≒６５０ｎｍ）で特定の複素屈折率を満足する必要があり、光記録層に色素材料を使用すると、該色素材料の光吸収特性によって高反射率が実現できるという利点がある。このため、ＣＤ−Ｒでは、光記録層に色素材料が使用されてきており、ＤＶＤ＋Ｒでも同様に、光記録層に色素材料が使用されてきている。
これらの光記録媒体では、色素材料の光吸収スペクトル（図１参照）における光吸収帯の端部の特性を利用しており、記録後の反射率（反射光量）が減少する、いわゆるＨｉｇｈ  ｔｏ  Ｌｏｗモードで記録を行うタイプのＤＶＤ＋Ｒ媒体、ＤＶＤ−Ｒ媒体が記録用ＤＶＤシステムとして既に商品化されている。
【０００３】
ＤＶＤは、デジタル動画像を高画質で長時間記録できるため、そのコンテンツの著作権保護は不可欠である。著作権保護のための方式として、例えばＣＳＳ（Ｃｏｎｔｅｎｔ  Ｓｃｒａｍｂｌｅ  Ｓｙｓｔｅｍ）が知られている。これは、一般ユーザによる民生機器を使用した不正コピーやコンピュータを使用した不正コピーなどを防止するものである。ＣＳＳ暗号化されたＤＶＤビデオコンテンツは、再生専用ＤＶＤにのみ正規に存在するようになっている。これにより、再生装置が記録用ＤＶＤと再生専用ＤＶＤとを識別し、記録用ＤＶＤであると判別した場合には、不正コピーされたものであるとして、その記録用ＤＶＤに記録されたＣＳＳコンテンツの再生を禁止することができる。
ところで、近時、レンタルビデオ店などにおいて、インターネット上から配信されたビデオコンテンツを、配信業者等から供給された記録用ＤＶＤに記録し、それを顧客にレンタルする、というビジネス形態が考えられている。
しかしながら、このようにして記録された記録用ＤＶＤは、不正コピーされたものではないにも拘らず、顧客が自宅の再生装置で再生しようとすると、記録用ＤＶＤであるがために、不正コピーされたものであるとして、再生が禁止されてしまう（顧客は視聴できない）、という問題がある。
【０００４】
【特許文献１】特開平２−４２６５２号公報
【発明の開示】
【発明が解決しようとする課題】
【０００５】
本発明は、前述した記録用ＤＶＤであるがために再生が禁止されてしまうという問題を解決するため、市販の記録装置とほぼ同じ構成の記録装置によって記録することができ、再生時においては再生専用ＤＶＤと認識される光記録媒体の提供を目的とする。
【課題を解決するための手段】
【０００６】
上記課題は次の１）〜７）の発明（以下、本発明１〜７という）によって解決される。
１）  レーザ光を誘導する記録用案内溝を有する基板と該基板上に設けられた記録層を備え、レーザ光の照射により記録層に光学的性質の変化を生じさせて情報の記録を行う光記録媒体において、記録用案内溝が蛇行構造を有し、該蛇行構造に、ＡＤＩＰ情報が位相変調法によりウォブルの振動の極性を反転させた状態で記録されていることを特徴とする光記録媒体。
２）  レーザ光を誘導する記録用案内溝を有する基板と該基板上に設けられた記録層を備え、レーザ光の照射により記録層に光学的性質の変化を生じさせて情報の記録を行う光記録媒体において、記録用案内溝が蛇行構造を有し、かつ、該蛇行構造が単周期単位相であることを特徴とする光記録媒体。
３）  レーザ光を誘導する記録用案内溝を有する基板と該基板上に設けられた記録層を備え、レーザ光の照射により記録層に光学的性質の変化を生じさせて情報の記録を行う光記録媒体において、記録用案内溝が蛇構造を有し、かつ、該蛇行構造の振幅が１０ｎｍ以下であることを特徴とする光記録媒体。
４）  蛇行構造がデータ記録領域より内周部のみに形成されていることを特徴とする２）又は３）記載の光記録媒体。
５）  情報記録後のプッシュプル信号〔＝プッシュプル（差信号）／反射率（和信号）〕が、０．３以下であることを特徴とする１）〜４）の何れかに記載の光記録媒体。
６）  プッシュプル信号が、記録前に比べて記録後に減少する１）〜４）の何れかに記載の光記録媒体。
７）  波長６４０〜６８０ｎｍの記録光により記録マーク部が形成される色素記録層を有し、該記録マーク部の記録光に対する反射率が、記録前に比べて記録後に増加することを特徴とする１）〜４）の何れかに記載の光記録媒体。
【０００７】
以下、上記本発明について詳しく説明する。
再生時に記録用ＤＶＤと再生専用ＤＶＤを識別する方法について、標準などで規定された方法はないが、多くの場合、記録用案内溝に記載された情報、即ちＤＶＤ＋Ｒの場合はＡＤＩＰ（ＡＤｒｅｓｓ  Ｉｎ  Ｐｒｅ−ｇｒｏｏｖｅ）情報、ＤＶＤ−Ｒの場合はＬＰＰ（Ｌａｎｄ  Ｐｒｅ−ｐｉｔ）情報がデコードできるか否か、及び／又はプッシュプル信号が大きいか小さいかによって行われている。
故に、本発明が対象とする光記録媒体でも、（１）ＡＤＩＰ情報がデコードできない、（２）プッシュプル信号が通常の記録用ＤＶＤより小さい、の少なくとも一方を満足するようにすれば、記録後は再生専用ＤＶＤと認識し、本発明の課題を解決することが可能である。
しかしながら、（１）について新規の物理／論理フォーマットを採用すると記録装置の構成を現行のものから大きく変更する必要があり、記録装置の開発／生産コストの面で実現は難しい。また、（２）について記録前のプッシュプル信号を小さくしてしまうと記録時のトラッッキングサーボが困難になり、記録エラーなどを発生させてしまう。
そこで、本発明者は、（１）において、現在のＤＶＤ＋ＲのＡＤＩＰ情報の物理／論理フォーマットを用いたままで、又はＡＤＩＰ情報を用いず、非常に簡易な手段で、前記課題を解決する方策について検討し、本発明に至った。
【０００８】
蛇行構造を設けた記録用案内溝を有する光記録媒体においては、通常、該蛇行構造に、アドレス情報、記録条件や生産メーカーなどの情報が、ＤＶＤ＋Ｒ  ｂａｓｉｃ  ｆｏｒｍａｔに記載のＡＤＩＰ情報として記録されている。また、該蛇行構造は、光記録媒体の回転用モータの回転制御の基準信号などのために、一定の周波数で形成されている。
本発明１では、位相変調法により、上記ＤＶＤ＋Ｒ  ｂａｓｉｃ  ｆｏｒｍａｔに記載のＡＤＩＰ情報が記録されている蛇行構造におけるウォブルの振動の極性を反転させる。このようにすれば、記録装置のＡＤＩＰデコーダの軽微な変更によって低コストの対応を実現できる。
【０００９】
本発明２では、ＡＤＩＰ情報を取り除いた単周期単位相の溝形状を用いる。この場合には、記録装置は単周期単位相の溝形状から記録線速を同期させる機能と半径位置からアドレスを算出する機能を有すればよい。
更に、ウォブル周期を変更することによりＡＤＩＰ情報をデコードさせないことも可能である。この場合、変更したウォブル周期が元のウォブル周期に近いと一般的な記録再生装置は無理に変更したウォブル周期に同期しようとし、最悪の場合は記録再生装置を壊す可能性がある。記録再生装置により許容できるウォブル周期は異なるが、通常の記録再生装置で許容できるウォブル周期は２０％未満と考えられる。そのためウォブル周期の変更は元の周期に対して５０％以上増減されていることが望ましい。更に、専用記録装置でＡＤＩＰをデコードする場合にクロックの整合を取りやすくするため、元のウォブル周期の整数倍か整数分の１であることが好適である。更に、ウォブル周期が大幅に大きくなるとウォブル周期がＥＦＭ信号のパルスに近くなるため、干渉により記録品質が悪化することがある。また、ウォブル周期が低くなるとＤＶＤ−Ｒなどの低周期ウォブルの周期に近くなるため媒体の誤認識につながる。そのため、元のウォブル周期の２倍か１／２であることが好適である。
【００１０】
本発明３では、蛇行構造のウォブル振幅を抑えることにより、一般の記録再生装置にＡＤＩＰ情報をデコードさせないようにする。故にウォブル振幅は一般の記録装置で認識できない程度に小さいことが好ましい。具体的には１０ｎｍ程度以下が好適である。なお、通常の光記録媒体のウォブル振幅は１８〜３０ｎｍ程度である。
この場合、記録装置にはウォブル振幅信号を増大する機能が必要となる。更に、ウォブルがほとんど認識されないほど小さい光記録媒体に記録する場合、半径位置から記録線速が一定になる回転数を算出する機能と、その回転数によって記録用案内溝を走査する機能が必要となる。
更に、本発明２〜３において、記録に対する悪影響を無くすという点からは、蛇行構造を単周期単位相にする部分又は蛇行構造の振幅を１０ｎｍ以下にする部分を、本発明４のように「データ記録領域より内周部のみ」に限定する方が好ましい。但し、ＡＤＩＰ情報がデコードされないようにするという点からは、「内周部のみ」に限定しない方が好ましい。
また、（２）については、後述するような、記録後の反射率（反射光量）が増加する、いわゆるＬｏｗ  ｔｏ  Ｈｉｇｈタイプの記録材料を用いると、記録前のプッシュプル信号が記録後よりも高いため（記録後のプッシュプル信号が記録前に比べて減少する）、安定した記録動作と記録後の再生専用ＤＶＤとしての認識の両立を実現できるので好適である。
【００１１】
以下、本発明に係る光記録媒体の詳細の構成について説明する。
本発明に係る光記録媒体は、基板と該基板上に設けられる単層又は多層の記録層を備え、レーザ光の照射により前記記録層に光学的性質の変化を生じさせて情報の記録を行う光記録媒体において、予め、当該光記録媒体の記録条件に関する判断情報がレーザ光照射により読み取り可能に記録されている。機能向上のため各層を２層以上の積層構造とした構成でも良い。それらの構成例を図２、図３に示す。
図２は、本発明の光記録媒体１００として、記録光の入射側の第１基板１０１／記録層１０２／反射層１０３／接着層（図示せず）／第２基板（保護基板）１０７からなる構造例である。
また、図３は、本発明の光記録媒体２００として、記録光の入射側の第１基板２０１／Ｌ０記録層２０２／Ｌ０反射層２０３／接着層２０８／Ｌ１記録用案内溝形成層２０４／Ｌ１記録層２０５／Ｌ１反射層２０６／第２基板（保護基板）２０７からなる構造例である。
【００１２】
第１基板１０１、２０１は、光記録媒体が基板側から記録再生を行なうものである場合には使用レーザに対して透明でなければならない。
基板材料としては、例えば、ポリメチルメタクリレートのようなアクリル樹脂、ポリ塩化ビニル、塩化ビニル共重合体等の塩化ビニル系樹脂、エポキシ樹脂、ポリカーボネート樹脂、アモルファスポリオレフィン、ポリエステル、ソーダ石灰ガラス等のガラス、セラミックスなどが挙げられる。これらの中でも、寸法安定性、透明性、平面性などの点から、ポリメチルメタクリレート、ポリカーボネート樹脂、エポキシ樹脂、アモルファスポリオレフィン、ポリエステル、ガラスなどが好ましく、成形の容易性の点でポリカーボネート樹脂が特に好ましい。
なお、基板の表面にはトラッキング用の案内溝や案内ピット、アドレス信号などのプリフォーマットが形成されていても良い。
また、前記案内溝又はアドレス信号などの情報を表す凹凸形成の目的で、プレグルーブ層を設けてもよい。該プレグルーブ層の材料としては特に制限はなく、目的に応じて適宜選択することができ、例えば、アクリル酸のモノエステル、ジエステル、トリエステル及びテトラエステルのうちの少なくとも一種のモノマー（又はオリゴマー）と光重合開始剤との混合物などが挙げられる。
【００１３】
案内溝の溝深さ及び溝幅（半値幅）は、記録再生波長等に応じて適宜選択することができる。
溝深さは、例えば、２００Å（２０ｎｍ）〜１５００Å（１５０ｎｍ）であるのが好ましい。この場合、記録後のプッシュプル信号を未記録のプッシュプル信号よりも減少させることが容易であり、また、トラッキングサーボに必要な未記録のプッシュプル信号を得ることが容易である点で有利である。その結果、安定した記録が可能となる。
なお、記録再生波長が６４０ｎｍ〜６８０ｎｍである場合には、前記溝深さは、３００Å（３０ｎｍ）〜７００Å（７０ｎｍ）であるのが好ましく、前記溝幅（半値幅）がトラックピッチの２０〜６０％であるのが好ましい。この場合、ＤＶＤ波長での記録に適した設計であり、この範囲内で信号特性に合わせて所望に調整可能である。
【００１４】
記録層１０２、２０２、２０５は、レーザ光の照射により何らかの光学的変化を生じさせ、その変化により情報を記録するものであり、公知の種々の無機材料、有機材料を用いることができるが、有機色素を主成分とするものが好ましい。ここで、主成分とは、記録再生に必要十分な量の有機色素を含有することを意味するが、通常は、必要に応じて適宜添加する少量の添加剤を除き、有機色素のみを用いる。なお、反射率を高めるため有機色素層に反射層を積層しても良い。
有機色素の例としては、アゾ系、ホルマザン系、ジピロメテン系、（ポリ）メチン系、ナフタロシアニン系、フタロシアニン系、テトラアザポルフィリン系、スクアリリウム系、クロコニウム系、ピリリウム系、ナフトキノン系、アントラキノン系（インダンスレン系）、キサンテン系、トリフェニルメタン系、アズレン系、テトラヒドロコリン系、フェナンスレン系、トリフェノチアジン系各色素、或いはそれらの金属錯体などが挙げられる。中でも好ましいのは、アゾ（金属キレート）色素、ホルマザン（金属キレート）色素、スクアリリウム（金属キレート）色素、ジピロメテン（金属キレート）色素、トリメチンシアニン色素、テトラアザポルフィリン色素である。
上記色素は熱分解特性として、分解開始温度１００〜３６０℃のものが好ましく、特に１００〜３５０℃のものが好ましい。分解開始温度が３６０℃を越えると記録時のピット形成がうまく行われずジッタ特性が悪くなる。また、１００℃未満ではディスクの保存安定性が悪化する。
【００１５】
上記色素には光学特性、記録感度、信号特性などの向上を目的として、他の有機色素、金属、金属化合物を混合してもよく、或いは色素層と、他の有機色素、金属、金属化合物からなる層を積層しても良い。
このような金属、金属化合物の例としては、Ｉｎ、Ｔｅ、Ｂｉ、Ｓｅ、Ｓｂ、Ｇｅ、Ｓｎ、Ａｌ、Ｂｅ、ＴｅＯ２、ＳｎＯ、Ａｓ、Ｃｄなどが挙げられ、それぞれを分散混合するか或いは積層して用いることができる。
更に、上記色素中に高分子材料、例えばアイオノマー樹脂、ポリアミド樹脂、ビニル系樹脂、天然高分子、シリコーン、液状ゴムなどの種々の材料、或いはシランカップリング剤などを分散混合しても良いし、特性改良の目的で安定剤（例えば遷移金属錯体）、分散剤、難燃剤、滑剤、帯電防止剤、界面活性剤、可塑剤などを一緒に用いることも出来る。
【００１６】
また、Ｌｏｗ  ｔｏ  Ｈｉｇｈタイプの光記録媒体の場合には、最大吸収ピーク波長が記録再生波長よりも長波長側にある色素材料を用いることが好ましい。
このような色素材料としては、例えば、シアニン色素、アゾ色素、フタロシアニン色素スクアリリウム色素などが挙げられる。これらは、１種を単独で使用してもよいし、２種以上を併用してもよい。これらの中で、シアニン色素、アゾ色素及びフタロシアニン色素から選択される少なくとも１種が好ましく、また、これらの色素材料が置換基を有していると、その光吸収波長の調整が容易となるし、光記録に適した熱分解特性（例えば１５０〜２５０℃）を得ることも容易となるので好ましい。
前記シアニン色素としては、特に制限はなく、目的に応じて適宜選択することができるが、例えば、特許第３８３４０５３号公報、特許第２５９４４４３号公報、特許第３６９８７０８号公報、特許第３６５９９２２号公報、特開２００５−２０５８７４号公報などに記載の化合物が挙げられる。
前記アゾ色素としては、特に制限はなく、目的に応じて適宜選択することができるが、例えば、特許第３８３４０５３号公報、特許第３７８３７２２号公報、特許第２８７０９５２号公報などに記載の化合物が挙げられる。
前記フタロシアニン色素としては、特に制限はなく、目的に応じて適宜選択することができるが、例えば、特公平７−５６０１９号公報、特公平７−１１６３７１号公報、特許第３８３６１９２号などに記載の化合物が挙げられる。
前記スクアリリウム色素としては、特に制限はなく、目的に応じて適宜選択することができるが、例えば、特願２００２−５５２０７４号（国際公開０２−０５０１９０号パンフレット参照）、特願２００１−５４４８５５号（国際公開０１−０４４３７５号パンフレット参照）などに記載の化合物が挙げられる。
【００１７】
前記色素材料の中でも、本発明においては、光吸収波長の調整が容易であり、記録特性に優れる点で、下記一般式（Ｉ）で表されるシアニン色素が好ましい。
【化１】
2009170058.tif 000003
上記式中、Ｒ１及びＲ２は、それぞれ独立に、アルキル基、アラルキル基、又はアリール基を表し、これらは置換基で置換されていてもよく、隣り合うＲ２は互いに結合して脂環式炭化水素環又は複素環を形成してもよい。Ｒ２の少なくとも１つは、置換基を有していてもよいベンジル基であることが好ましい。この場合、該色素材料の熱分解温度が記録マーク部の記録（形成）に適している点で有利であり、また、該色素材料の分解温度が低温化し、分解速度が速く、発熱量が小さい傾向がある点で有利である。
Ｚは、芳香環を形成するための原子群を表す。
Ｘは、１価のアニオンを表し、ＰＦ６−が好ましい。ＸがＰＦ６−であると、該色素材料の熱分解温度が記録マーク部の記録（形成）に適している点で有利であり、また、該色素材料の分解温度が低温化し、分解速度が速く、発熱量が小さい傾向がある点で有利である。
Ｌは、カルボシアニンを形成するための連結基を表し、炭素数５のペンタメチン基が好ましい。Ｌが炭素数５のペンタメチン基であると、ＤＶＤ波長記録に適した膜光学特性が得られる点で有利である。
【００１８】
前記図２の色素記録層の場合、通常、記録再生波長が６４０ｎｍ〜６８０ｎｍであるので、色素材料の最大吸収ピーク波長は６４０ｎｍ以上が好ましく、前記図３の色素記録層の場合、通常、記録再生波長が４０５ｎｍ付近（４００〜４１０ｎｍ）であるので、色素材料の最大吸収ピーク波長は４０５ｎｍ以上が好ましい。これらの場合、Ｌｏｗ  ｔｏ  Ｈｉｇｈモードの記録が可能であり、記録後のプッシュプル信号が減少する光記録媒体の設計が容易となる点で有利である。
なお、本発明においては、色素材料に加えて、耐光性向上、光学特性改善、耐温度湿度改善などの目的で、必要に応じて他の成分を色素記録層に含有させてもよい。
このような材料としては、例えば、ピリリウム系・チオピリリウム色素、アズレニウム色素、ホルマザンキレート色素、Ｎｉ、Ｃｒなどの金属錯塩色素、ナフトキノン系・アントラキノン色素、インドフェノール色素、インドアニリン色素、トリフェニルメタン色素、トリアリルメタン色素、アミニウム・ジインモニウム色素、ニトロソ化合物などが挙げられる。これらは、１種を単独で使用してもよいし、２種以上を併用してもよい。
記録層１０２、２０２、２０５の膜厚は１０ｎｍ（１００Å）〜１０μｍ、好ましくは２０〜２００ｎｍ（２００〜２０００Å）が適当である。
【００１９】
記録層１０２、２０２、２０５の形成は、蒸着、スパッタリング、ＣＶＤ、溶剤塗布などの通常の手段によって行うことが出来る。塗布法を用いる場合には、上記色素などを有機溶剤に溶解し、スプレー、ローラーコーティグ、ディッピング、スピンコーティングなどの慣用のコーティング法によって行うことが出来る。
有機溶媒としては、メタノール、エタノール、イソプロパノールなどのアルコール類；アセトン、メチルエチルケトン、シクロヘキサノンなどのケトン類；Ｎ，Ｎ−ジメチルホルムアミド、Ｎ，Ｎ−ジメチルアセトアミドなどのアミド類；ジメチルスルホキシドなどのスルホキシド類；テトラヒドロフラン、ジオキサン、ジエチルエーテル、エチレングリコールモノメチルエーテルなどのエーテル類；酢酸メチル、酢酸エチルなどのエステル類；クロロホルム、塩化メチレン、ジクロルエタン、四塩化炭素、トリクロルエタンなどの脂肪族ハロゲン化炭化水素類；ベンゼン、キシレン、モノクロルベンゼン、ジクロルベンゼンなどの芳香族類；メトキシエタノール、エトキシエタノールなどのセロソルブ類；ヘキサン、ペンタン、シクロヘキサン、メチルシクロヘキサンなどの炭化水素類などが挙げられる。
【００２０】
記録層と基板の間には下記の下引き層又は保護層を設けてもよい。
反射層１０３、２０３、２０６の材料としては、Ａｕ、Ａｇ、Ｃｒ、Ｎｉ、Ａｌ、Ｆｅ、Ｓｎなどの単体で高反射率の得られる腐食され難い金属や半金属が挙げられるが、反射率や生産性の点からＡｕ、Ａｇ、Ａｌが特に好ましい。また、これらの金属や半金属は単独で使用しても２種以上の合金として使用しても良い。
反射層の膜形成法としては蒸着、スッパタリングなどが挙げられ、膜厚は、５〜５００ｎｍ（５０〜５０００Å）、好ましくは、１０〜３００ｎｍ（１００〜３０００Å）である。
接着層の材料としては、２枚の記録媒体を接着できる材料ならば何でもよく、生産性を考慮すると、紫外線硬化型接着剤又はホットメルト型接着剤が好ましい。また、Ｌ１記録用案内溝形成層２０４としては紫外線硬化型樹脂が好適である。この場合、Ｌ１記録用案内溝を形成するスタンパの剥離に適した材料が好適である。
【００２１】
また、反射層の１０２、２０２からの腐食を抑えるため下引き層を設けることも好適である。
下引き層は、（１）接着性の向上、（２）水又はガスなどのバリアー、（３）記録層の保存安定性の向上、（４）反射率の向上、（５）溶剤からの基板の保護、（６）案内溝、案内ピット、プレフォーマットの形成などの目的で設けられる。
前記（１）の目的に対しては、アイオノマー樹脂、ポリアミド樹脂、ビニル樹脂、天然樹脂、天然高分子、シリコーン、液状ゴムなどの種々の高分子化合物、又はシランカップリング剤などを用いることができる。前記（２）及び（３）の目的に対しては、上記高分子材料以外に、ＳｉＯ、ＭｇＦ、ＳｉＯ２、ＴｉＯ、ＺｎＯ、ＴｉＮ、ＳｉＮなどの無機化合物を用いることができ、更に、Ｚｎ、Ｃｕ、Ｎｉ、Ｃｒ、Ｇｅ、Ｓｅ、Ａｕ、Ａｇ、Ａｌなどの金属又は半金属を用いることができる。前記（４）の目的に対しては、Ａｌ、Ａｕ、Ａｇ等の金属や、メチン染料、キサンテン系染料などからなる金属光沢を有する有機薄膜を用いることができる。前記（５）及び（６）の目的に対しては、紫外線硬化樹脂、熱硬化樹脂、熱可塑性樹脂などを用いることができる。
下引き層の膜厚としては、０．０１〜３０μｍ、好ましくは、０．０５〜１０μｍが適当である。
【００２２】
保護層及び基板面ハードコート層は、（１）記録層（反射吸収層）の傷、ホコリ、汚れ等からの保護、（２）記録層（反射吸収層）の保存安定性の向上、（３）反射率の向上等を目的として使用される。これらの目的に対しては、前記下引き層と同じ材料を用いることができる。また、ポリメチルアクリレート樹脂、ポリカーボネート樹脂、エポキシ樹脂、ポリスチレン樹脂、ポリエステル樹脂、セルロース樹脂、脂肪族炭化水素樹脂、天然ゴム、スチレンブタジエン樹脂、クロロプレンゴム、ワックス、アルキッド樹脂、乾性油、ロジン等の熱軟化性、熱溶融性樹脂などの有機材料を用いることもできる。最も好ましいのは生産性に優れた紫外線硬化樹脂である。
保護層又は基板面ハードコート層の膜厚は、０．０１〜３０μｍ、好ましくは０．０５〜１０μｍである。
上記下引き層、保護層及び基板面ハードコート層には、記録層の場合と同様に安定剤、分散剤、難燃剤、滑剤、帯電防止剤、界面活性剤、可塑剤等を含有させることができる。
【００２３】
第２基板（保護基板）１０７、２０７は、該第２基板側からレーザ光を照射する場合には、使用レーザ光に対して透明でなければならないが、単なる保護板として用いる場合には透明でなくてもよい。使用可能な第２基板材料は前記基板材料と全く同じであり、ポリエステル樹脂、アクリル樹脂、ポリアミド樹脂、ポリカーボネート樹脂、ポリオレフィン樹脂、フェノール樹脂、エポキシ樹脂、ポリイミド樹脂などのプラスチック、又はガラス、セラミック、金属などを用いることができる。また、第１基板１０１、２０１と同じ材料を用いることでコストを低減することができる。
【００２４】
光記録媒体の記録条件やアドレスに関する情報は、記録層に情報を記録するときにレーザ光を走査させる案内溝（第１基板１０１、第１基板２０１及び／又はＬ１記録用案内溝形成層２０４の記録用案内溝）の蛇行構造に記録されていることが好ましい。また、該情報を記録する変調方法としては、周波数変調、振幅変調、位相変調が挙げられる。高周波数の信号に位相変調法で記載することにより、記録密度を向上させることができる。これにより、後述の記録装置において、記録層への記録時に記録用案内溝を走査して読み取られる他の情報とともに光記録媒体の記録条件に関する判断情報を取得することができる。同時に、記録用案内溝に情報を付加することにより、記録装置にのみ情報が読み取れ、再生装置の互換性を考慮する必要がなくなる。
本発明において記録条件やアドレスなどの情報を記録する物理／論理フォーマットは、現在のＤＶＤ＋ＲのＡＤＩＰ情報の物理／論理フォーマットを用いるが、位相変調の方式が極性に対して非対称なため、ウォブル信号の極性を反転して記録用案内溝を記録することで通常の記録装置のＡＤＩＰデコーダではデコードできなくなる。その場合、本発明の記録媒体の専用記録装置において以下に記載のように容易に記録対応が可能である。
【００２５】
本発明の光記録媒体は図４に示すような記録装置によって情報の記録再生が行われる。
図４は、光記録媒体の記録装置について、その要部構成の一例を示す機能ブロック図である。図において、１００（２００）は光記録媒体、２はスピンドルモータ、３は光ピックアップ、４はモータドライバ、５はリードアンプ、６はサーボ手段、７はＤＶＤデコーダ、８はＡＤＩＰデコーダ、９はレーザコントローラ、１０はＤＶＤエンコーダ、１１はＤＶＤ−ＲＯＭエンコーダ、１２はバッファＲＡＭ、１３はバッファマネージャ、１４はＤＶＤ−ＲＯＭデコーダ、１５はＡＴＡＰＩ／ＳＣＳＩインターフェース、１６はＤ／Ａコンバータ、１７はＲＯＭ、１８はＣＰＵ、１９はＲＡＭ、２０はパルスジェネレータを示し、ＬＢはレーザ光、Ａｕｄｉｏはオーディオ出力信号を示す。
この図４において、矢印はデータが主に流れる方向を示しており、また、図を簡略化するために、図４の各ブロックを制御するＣＰＵ１８には、太線のみを付けて各ブロックとの接続を省略している。ＲＯＭ１７には、ＣＰＵ１８により解読可能なコードで記述された制御プログラムが格納されている。なお、光記録媒体の記録装置の電源がオン状態になると、前記制御プログラムは不図示のメインメモリにロードされ、前記ＣＰＵ１８はその制御プログラムに従って上記各部の動作を制御すると共に、制御に必要なデータ等を一時的にＲＡＭ１９に保存する。光記録媒体の記録装置の構成と動作は、次のとおりである。
【００２６】
光記録媒体１００（２００）は、スピンドルモータ２によって回転駆動される。このスピンドルモータ２は、モータドライバ４とサーボ手段６により、線速度又は角速度が一定になるように制御される。この線速度又は角速度は、階段的に変更することが可能である。
光ピックアップ３は、図示されない半導体レーザ、光学系、フォーカスアクチュエータ、トラックアクチュエータ、受光素子及びポジションセンサを内蔵しており、レーザ光ＬＢを光記録媒体１００（２００）に照射する。また、この光ピックアップ３は、シークモータによってスレッジ方向への移動が可能である。これらのフォーカスアクチュエータ、トラックアクチュエータ、シークモータは、受光素子とポジションセンサから得られる信号に基いて、モータドライバ４とサーボ手段６により、レーザ光ＬＢのスポットが光記録媒体１００（２００）上の目的の場所に位置するように制御される。
【００２７】
その際に、一部の記録再生装置においては、プッシュプル信号により記録用媒体か再生専用媒体か否かを判別している。そこで、このような場合には、情報記録後のプッシュプル信号を記録用ＤＶＤの規格０．３以下にすれば再生専用ＤＶＤと認識される。
一方、記録時のプッシュプル信号が小さくなると、記録時のトラックアクチュエータの制御が難しくなるため、記録前のプッシュプル信号は記録後より大きい方が好適である。
そして、リード時には、光ピックアップ３によって得られた再生信号が、リードアンプ５で増幅されて２値化される。リードアンプ内では主に最長信号振幅を規格化する過程と最記録マーク信号を増幅する波形等価機能を経て２値化される。入力された２値化データは、このＤＶＤデコーダ７において、８／１６復調される。なお、記録データは、８ビットずつ纏められて変調（８／１６変調）されており、この変調では、８ビットを１６ビットに変換している。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
【００２８】
復調されたデータは、デインターリーブとエラー訂正の処理が行われる。その後、このデータは、ＤＶＤ−ＲＯＭデコーダ１４へ入力され、データの信頼性を高めるために、更に、エラー訂正の処理が行われる。このように２回のエラー訂正の処理が行われたデータは、バッファマネージャ１３によって一旦バッファＲＡＭ１２に蓄えられ、セクタデータとして揃った状態で、ＡＴＡＰＩ／ＳＣＳＩインターフェース１５を介して、図示しないホストコンピュータへ一気に転送される。なお、音楽データの場合には、ＤＶＤデコーダ７から出力されたデータが、Ｄ／Ａコンバータ１６へ入力され、アナログのオーディオ出力信号Ａｕｄｉｏとして取り出される。
また、ライト時には、ＡＴＡＰＩ／ＳＣＳＩインターフェース１５を通して、ホストコンピュータから送られてきたデータは、バッファマネージャ１３によって一旦バッファＲＡＭ１２に蓄えられる。その後、ライト動作が開始されるが、この場合には、その前にレーザスポットを書き込み開始地点に位置させる必要がある。この地点は、ＤＶＤ＋Ｒ／＋ＲＷは、予め光記録媒体１００（２００）上にトラックの蛇行により刻まれているウォブル信号によって求められる。
なお、上記地点は、ＤＶＤ−Ｒ／−ＲＷはウォブル信号の代わりにランドプリピット、ＤＶＤ−ＲＡＭ／ＲＡＭ・ＷＯではプリピットによって求められる。
【００２９】
ＤＶＤ＋Ｒ／＋ＲＷ記録媒体におけるウォブル信号に含まれるＡＤＩＰ情報は、ＡＤＩＰデコーダ８によって取り出される。
本発明１の光記録媒体のＡＤＩＰ情報は、通常のＤＶＤ＋ＲのＡＤＩＰ情報と極性が反転しているため、そのままの信号ではデコードすることができない。そのため、ＡＤＩＰ情報のデコードの可否により記録用媒体か再生専用媒体かを判断するドライブにおいて、本発明の光記録媒体は再生専用媒体として認識される。また、本発明の光記録媒体への記録は、ＡＤＩＰデコーダ８内で極性を反転させるか、入力信号を反転させるかの何れかにより容易に行えるため、市販の記録装置を根本的に改造する必要がなく、低コストによる記録対応が可能となる。
また、このＡＤＩＰデコーダ８によって生成される同期信号は、ＤＶＤエンコーダ１０へ入力され、光記録媒体１００（２００）上の正確な位置へのデータの書き込みを可能にしている。バッファＲＡＭ１２のデータは、ＤＶＤ−ＲＯＭエンコーダ１１やＤＶＤエンコーダ１０において、エラー訂正コードの付加や、インターリーブが行われ記録用の信号として８／１６変換される。
【００３０】
記録用に変調された信号は、パルスジェネレータ２０において光記録媒体に適した記録光波形に変換され、レーザコントローラ９、光ピックアップ３を介して、光記録媒体１００（２００）に記録される。光ピックアップの効率の補正には記録光の回折光を直接に受光素子により測定し、そのパワー変動によりレーザコントローラ９の記録パワーを変更することが可能である。光記録媒体に対する記録パワーの補正方法として記録後発光時の反射光の変動から、光記録媒体に対する記録パワーの効率を測定しレーザコントローラ９の記録パワーを補正することが可能である。アドレスの制御方法はランドプリピットやプリピットからアドレス情報を得る構成であっても良い。
【００３１】
図５は、この光記録媒体の記録装置を使用した情報処理装置の概略図である。
情報処理装置５０は、光ディスク装置（記録装置）５１、主制御装置５２、インターフェース５３、記録装置（ＨＤＤ）５４、入力装置５５及び表示装置５６等を備えている。
主制御装置５２は、マイクロコンピュータ、メインメモリ（何れも図示せず）などを含んで構成され、情報処理装置５０の全体を制御する。
インターフェース５３は、光記録媒体の記録装置５１との双方向の通信インターフェースであり、ＡＴＡＰＩ及びＳＣＳＩ等の標準インターフェースに準拠している。またインターフェース５３は、光記録媒体の記録装置のインターフェース１５と接続されている。なお、各インターフェース間の接続形態は、通信ケーブル（例えばＳＣＳＩケーブル）などの通信線を用いたケーブル接続だけでなく、赤外線などを利用したワイヤレス接続であっても良い。
【００３２】
記録装置（ハード記録媒体ＨＤＤ）５４には、主制御装置のマイクロコンピュータで解読可能なコードで記述されたプログラムが格納されている。なお、情報処理装置の駆動電源がオン状態になると、上記プログラムは主制御装置のメインメモリにロードされる。
表示装置５６は、例えばＣＲＴ、液晶ディスプレイ（ＬＣＤ）及びプラズマディスプレイパネル（ＰＤＰ）などの表示部（図示せず）を備え、主制御装置からの各種情報を表示する。
入力装置５５は、例えばキーボード、マウス、ポインティングデバイスなどのうち少なくとも１つの入力媒体（図示せず）を備え、ユーザから入力された各種情報を主制御装置に通知する。なお、入力媒体からの情報はワイヤレス方式で入力されても良い。また表示装置と入力装置とが一体化したものとして、例えばタッチパネル付きＣＲＴなどがある。
また、情報処理装置はオペレーティングシステム（以下、「ＯＳ」という）を搭載している。そして、情報処理装置を構成する全てのデバイスはＯＳによって管理されているものとする。
【発明の効果】
【００３３】
本発明によれば、市販の記録装置とほぼ同じ構成の記録装置によって記録することができ、再生時においては再生専用ＤＶＤと認識される光記録媒体を提供できる。
また、本発明１〜４の光記録媒体の場合、ＡＤＩＰ情報のデコードの可否により記録用ＤＶＤか再生専用ＤＶＤかを判断するドライブを用いても、ＣＳＳ暗号化されたコンテンツの再生が可能となる。
また、本発明５の光記録媒体の場合、プッシュプル信号により記録用ＤＶＤか再生専用ＤＶＤかを判断するドライブを用いても、ＣＳＳ暗号化されたコンテンツの再生が可能となる。
また、本発明６の光記録媒体の場合、安定した記録が可能となる。
また、本発明７の光記録媒体の場合、記録前の反射率が低いことにより、記録感度（光吸収率）が十分高くなるため、高速記録時でも記録特性に優れている。また、記録後の反射率が高いことにより、記録後のプッシュプル信号〔＝プッシュプル（差信号）／反射率（和信号）〕を小さくできるため、記録用案内溝による信号がノイズ成分としてデータ信号に混入することを防止できる。
【実施例】
【００３４】
以下、実施例及び比較例を示して本発明を更に具体的に説明するが、本発明はこれらの実施例により限定されるものではない。
【００３５】
（実施例１）
直径１２０ｍｍ、厚さ０．６ｍｍのポリカーボネート円板の表面上に、ウォブル信号の極性を反転して記録した記録用案内溝の凸凹パターンを有し、その溝深さが約７００Å、溝底部幅が約０．２４μｍ、トラックピッチが０．７４μｍである基板を用意した。
この基板上に、下記〔化２〕のシアニン色素を２，２，３，３−テトラフロロプロパノールに溶解した塗布液をスピンコートし、更に９０℃で１５分間アニールすることにより色素記録層を形成した。この色素記録層の最大光吸収波長は７３０ｎｍ、最大吸収波長での光吸収（Ａｂｓ．）は０．５５（７３０ｎｍ）、記録再生波長（６５０ｎｍ）での光吸収（Ａｂｓ．）は０．４９であった。
なお、別途、ガラス板上に形成した色素記録層の光吸収スペクトルを図６に示した。
【化２】
2009170058.tif 000004
上記式中、Ｍｅは、メチルを表し、Ｂｕは、ブチル基を表す。
次に、色素記録層の上に、Ａｒをスパッタガスとして用いて、スパッタ法によりＡｇ合金（Ａｇ：Ｉｎ＝９９．５：０．５重量％）を約１４００Åの厚さに設け反射層とした。
更に、その上に紫外線硬化樹脂からなる保護層を約４μｍの厚さに設けてディスク体を作成し、紫外線硬化樹脂接着剤により同形状のポリカーボネート製のダミー基板（カバー基板）と貼り合せて、ＤＶＤ＋Ｒを作成した。
このＤＶＤ＋Ｒについて、後述する方法で記録信号評価したところ、記録部の反射率が増加するＬｏｗ  ｔｏ  Ｈｉｇｈモードであり、記録後のプッシュプル信号が減少することを確認した。
【００３６】
（実施例２〜３）
色素記録層のシアニン色素を、下記〔化３〕のスクアリリウム色素に変え、基板に形成した案内溝の深さを１５００Å（実施例２）及び７００Å（実施例３）とした点以外は、実施例１と同様にして、ウォブル信号の極性を反転して記録した記録用案内溝の凸凹パターンを有するＤＶＤ＋Ｒを作成した。
また、別途、ガラス板に形成した色素記録層の光吸収スペクトルを図７に示した。
このＤＶＤ＋Ｒについて、後述する方法で記録信号評価したところ、記録部の反射率が減少するＨｉｇｈ  ｔｏ  Ｌｏｗ  モードであり、記録後のプッシュプル信号が増加することを確認した。
【化３】
2009170058.tif 000005
【００３７】
（実施例４）
直径１２０ｍｍ、厚さ０．６ｍｍのポリカーボネート円板の表面上に、単周期単位相のウォブル信号を持つ記録用案内溝の凸凹パターンを有し、その溝深さが約７００Å、溝底部幅が約０．２４μｍ、トラックピッチが０．７４μｍである基板を用意した点以外は、実施例１と同様にしてＤＶＤ＋Ｒを作成した。
このＤＶＤ＋Ｒについて、後述する方法で記録信号評価したところ、記録部の反射率が増加するＬｏｗ  ｔｏ  Ｈｉｇｈモードであり、記録後のプッシュプル信号が減少することを確認した。
【００３８】
（実施例５）
色素記録層のシアニン色素を、実施例２で用いた前記〔化３〕のスクアリリウム色素に変えた点以外は、実施例４と同様にして単周期単位相のウォブル信号の記録用案内溝を有するＤＶＤ＋Ｒを作成した。
このＤＶＤ＋Ｒについて、後述する方法で記録信号評価したところ、記録部の反射率が減少するＨｉｇｈ  ｔｏ  Ｌｏｗ  モードであり、記録後のプッシュプル信号が増加することを確認した。
【００３９】
（比較例１）
ウォブル信号の極性を通常の記録用ＤＶＤ＋Ｒと同様にした点以外は、実施例１と同様にしてＤＶＤ＋Ｒを作成した。
このＤＶＤ＋Ｒについて、後述する方法で記録信号評価したところ、実施例１と同様に、記録部の反射率が減少するＬｏｗ  ｔｏ  Ｈｉｇｈ  モードであり、記録後のプッシュプル信号が減少することを確認した。
【００４０】
（比較例２）
ウォブル信号の極性を通常の記録用ＤＶＤ＋Ｒと同様にした点以外は、実施例２と同様にしてＤＶＤ＋Ｒを作成した。
このＤＶＤ＋Ｒについて、後述する方法で記録信号評価したところ、実施例２と同様に、記録部の反射率が減少するＨｉｇｈ  ｔｏ  Ｌｏｗ  モードであり、記録後のプッシュプル信号が増加することを確認した。
【００４１】
上記実施例及び比較例の光記録媒体について、パルステック社製ディスク評価装置ＯＤＵ−１０００を用い、下記の記録再生条件で特性を評価した。この装置は、ＤＶＤ＋Ｒ  ４．７ＧＢｙｔｅｓ  Ｂａｓｉｃ  Ｆｏｒｍａｔ  Ｓｐｅｃｉｆｉｃａｔｉｏｎ  ｖｅｒｓｉｏｎ  １．３のシステム規格の測定条件に準拠したものである。また、プッシュプル信号、差信号、反射率、信号変調度等は、前記システム規格に記載された方法で測定し、光吸収（Ａｂｓ．）、最大吸収ピーク波長、色素の光吸収スペクトル等は分光光度計（日立レシオビーム分光光度計  Ｕ−１０００）を用いて測定した。
［信号記録］
波長：６５９ｎｍ、ＮＡ：０．６５、線速度：８Ｘ（２７．９２ｍ／ｓ）の条件でＤＶＤ（８−１６）信号を記録した。記録条件は前記ＤＶＤ＋Ｒ規格に準じたキャッスルパルス発光パターンを採用した。記録に用いたパルス発光のパターンを図８に示す。
［信号再生］
波長：６５９ｎｍ、ＮＡ：０．６５、線速度：１Ｘ（３．４９ｍ／ｓ）の条件で未記録及び記録後の信号を測定した。
［効果確認］
上記方法でＣＳＳ暗号化されたコンテンツを記録し、下記の市販ドライブＡ〜Ｃにより再生した場合のコンテンツの再生可否を評価した。
・ドライブＡ：ＡＤＩＰ情報のデコード可否により、記録用ＤＶＤか再生専用ＤＶＤかを判断するドライブ
・ドライブＢ：ＡＤＩＰ情報のデコード可否とプッシュプル信号により、記録用ＤＶＤか再生専用ＤＶＤかを判断するドライブ
・ドライブＣ：記録用ＤＶＤか再生専用ＤＶＤかを判断せず、全て再生専用ＤＶＤとして認識するドライブ
【００４２】
表１に再生可否の結果を示すが、比較例１、２ではドライブＡ、Ｂ共に再生不可であったのに対し、実施例２、３、５、７ではドライブＡにより再生できた。更に実施例１、４、６ではプッシュプル信号を抑えた効果によりドライブＡ、Ｂの両方で再生可能であった。
〔表１〕
ドライブＡ      ドライブＢ      ドライブＣ
実施例１      可              可              可
実施例２      可              不可            可
実施例３      可              不可            可
実施例４      可              可              可
実施例５      可              不可            可
実施例６      可              可              可
実施例７      可              不可            可
比較例１      不可            不可            可
比較例２      不可            不可            可
【図面の簡単な説明】
【００４３】
【図１】色素材料の光吸収スペクトルを示す図。
【図２】本発明の光記録媒体の構成例を示す図。
【図３】本発明の光記録媒体の他の構成例を示す図。
【図４】光記録媒体の記録装置の説明図。
【図５】図４の記録装置を使用した情報処理装置の概略図。
【図６】信号記録に用いるパルス発光のパターンを示す図。
【符号の説明】
【００４４】
１００  光記録媒体
１０１  第１基板
１０２  記録層
１０３  反射層
１０７  第２基板（保護基板）
２００  光記録媒体
２０１  第１基板
２０２  Ｌ０記録層
２０３  Ｌ０反射層
２０４  Ｌ１記録用案内溝形成層
２０５  Ｌ１記録層
２０６  Ｌ１反射層
２０７  第２基板（保護基板）
２０８  接着層
ｓｐａｃｅ  スペース
ｍａｒｋ  マーク
Ｔ  基本クロック周期
ｎ  ３以上の整数
ｎ′  ３以上の整数
ｐｓ  直前のスペース長
ｃｍ  記録マーク長
Ｗ１  ３Ｔマークのパルスパワー、４Ｔ以上のマークの上乗せしたパルスパワー
Ｗ２  ４Ｔ以上のマークの上乗せしないパルスパワー
Ｗ４  イレースパワー
Ｐｃ  クーリングパワー
【図１】
2009170058.tif 000006
【図２】
2009170058.tif 000007
【図３】
2009170058.tif 000008
【図４】
2009170058.tif 000009
【図５】
2009170058.tif 000010
【図６】
2009170058.tif 000011